(57)【要約】【課題】ＭＩＭＯ方式の被測定装置の測定を安価な構成により実現でき、アンテナ本数が変更された被測定装置の測定にも柔軟に対応可能な測定装置及び測定方法を提供する。【解決手段】測定装置５０は、ＳＩＳＯ方式の２つの測定機器５１Ａ、５１Ｂを有し、測定機器５１Ａが主測定機器、測定機器５１Ｂが副測定機器として設定される。主測定機器５１Ａは、各送信部７３Ａ、７３Ｂの送信動作タイミングを同期させつつそれぞれ単一ストリームの信号を送信させることにより各測定機器５１Ａ、５１ＢとＤＵＴ１とを無線ＬＡＮにより接続し、該接続中に送信した測定用フレームに対するＤＵＴ１からの応答フレームを、各受信部７４Ａ、７４Ｂの受信動作タイミングを同期させつつそれぞれ受信させる。測定制御部６３Ａは、受信された応答フレームのヘッダ部のデータを解析して被測定フレームを特定し、被測定フレームに基づいてＤＵＴ１の送信特性を測定する。【選択図】図３
2019205042.tif 000002
【特許請求の範囲】
【請求項１】
ＳＩＳＯ方式の複数の測定機器（５１Ａ、５１Ｂ）を用いてＭＩＭＯ方式による通信を行なう被測定装置（ＤＵＴ１）の測定を行う測定装置（５０）であって、
前記各測定機器は、
前記単一ストリームの信号を処理する信号処理部（７０Ａ、７１Ａ）（７０Ｂ、７１Ｂ）と、
前記単一ストリームの信号の送信部（７３Ａ、７３Ｂ）及び受信部（７４Ａ、７４Ｂ）を有する送受信部（７２Ａ、７２Ｂ）と、をそれぞれ有し、
前記各測定機器のうちの１の測定機器は、
自測定機器と他の測定機器のそれぞれの前記送信部の送信動作タイミングを同期させつつ当該各送信部からそれぞれ前記単一ストリームの信号を送信させることにより前記各測定機器と前記被測定装置とを無線ＬＡＮにより接続する接続制御手段（６１Ａ）と、
前記無線ＬＡＮの接続中に前記各送信部から送信した測定用フレームに対する前記被測定装置からの応答フレームを、自測定機器と前記他の測定機器のそれぞれの前記受信部の受信動作タイミングを同期させつつ当該各受信部によりそれぞれ受信させる受信制御手段（６２Ａ）と、
前記応答フレームのヘッダ部のデータを解析して被測定フレームを特定し、前記被測定フレームに基づいて前記被測定装置の送信特性を測定する測定制御手段（６３Ａ、６３Ｂ）と、をさらに有することを特徴とする測定装置。
【請求項２】
前記測定制御手段は、
前記応答フレームが特定の条件を満たすか否かを判断する判断部（６５Ａ）と、
前記判断部によって前記特定の条件を満たすと判断された場合に前記応答フレームが送信先に受信されたことを示す通知信号を前記被測定装置に通知し、前記特定の条件を満たさないと判断された場合に前記通知信号を通知しない通知信号処理部（６６Ａ）と、
前記判断部によって前記特定の条件を満たすと判断された当該応答フレームに含まれる被測定データを測定する測定部（７５Ａ）と、を有することを特徴とする請求項１に記載の測定装置。
【請求項３】
前記受信部は、前記被測定装置がピングリクエストフレームに応じて送信するピングリプライフレームを前記応答フレームとして受信するものであって、
前記測定部は、前記ピングリプライフレームに含まれる前記被測定データを測定するものである請求項２に記載の測定装置。
【請求項４】
前記受信部は、前記応答フレームとして、ＩＥＥＥ８０２．１１ｎ  ＨＴ−ｍｉｘｅｄ  ＰＰＤＵフォーマット、及びＩＥＥＥ８０２．１１ａｃ  ＶＨＴ  ＰＰＤＵフォーマットのいずれかのフォーマットを有するフレームを受信するものであって、
前記判断部は、前記いずれかのフォーマット中のヘッダ部のデータに基づいて前記特定の条件を満たすか否かを判断するものである請求項２または３に記載の測定装置。
【請求項５】
請求項１に記載の測定装置を用いてＭＩＭＯ方式による通信を行なう前記被測定装置の測定を行う測定方法であって、
前記複数の測定機器のうちの１の測定機器を主測定機器、前記主測定機器以外の測定機器を副測定機器としてそれぞれ設定する設定段階（Ｓ１１）と、
前記主測定機器と前記副測定機器のそれぞれの前記送信部の送信動作タイミングを同期させつつ当該各送信部からそれぞれ前記単一ストリームの信号を送信させることにより前記主測定機器及び前記副測定機器と前記被測定装置とを無線ＬＡＮにより接続する接続制御段階（Ｓ１４）と、
前記無線ＬＡＮの接続中に前記各送信部から送信した測定用フレームに対する前記被測定装置からの応答フレームを、前記主測定機器と前記副測定機器のそれぞれの前記受信部の受信動作タイミングを同期させつつ当該各受信部によりそれぞれ受信させる受信制御段階（Ｓ１６）と、
前記応答フレームのヘッダ部のデータを解析して被測定フレームを特定し、前記被測定フレームに基づいて前記被測定装置の送信特性を測定する測定制御段階（Ｓ１７〜Ｓ２０）と、を有することを特徴とする測定方法。
【発明の詳細な説明】
【技術分野】
【０００１】
本発明は、例えば無線ＬＡＮの通信規格に基づいて動作する被測定装置を測定する測定装置及び測定方法に関する。
【背景技術】
【０００２】
携帯電話やスマートフォン等の携帯端末では、画像情報などの大量の情報を高速に通信できることが要求されており、そのために基地局と携帯端末との間で行う通信方式として、ＭＩＭＯ（Multiple Input Multiple Output）方式が実現されている。
【０００３】
ＭＩＭＯ方式の携帯端末を試験する装置として、例えば、４系列で出力される伝送情報信号から２系列の合成信号Ｓａ，Ｓｂを生成し、この２系列の合成信号Ｓａ，Ｓｂに対し２×２の擬似伝送路処理を施すことで等価的にＭ×Ｎを構成する技術が特許文献１に提案されている（段落００３９、００４３、図１参照）。
【先行技術文献】
【特許文献】
【０００４】
【特許文献１】特開２０１４−９３７５８号公報
【発明の概要】
【発明が解決しようとする課題】
【０００５】
しかしながら、特許文献１に記載された従来の試験装置は、Ｍ×Ｎの伝搬路を経由した信号と等価な信号を１つの装置内で生成して試験対象に与えるＭＩＭＯ方式を採用しているため、例えば、ＳＩＳＯ（Single Input Single Output）方式を採用した試験装置に比べて回路構造が複雑化し、装置コストも高くならざるを得なかった。また、今日の無線ＬＡＮの高速化技術の著しい進展を背景に試験対象についてもアンテナ本数がより多くなる傾向にある。こうした中、上記従来の試験装置では、回路構造が複雑なことから改造には不向きであり、フレキシブルな対応ができないばかりか、改造したとしても装置のコストが高騰することとなった。
【０００６】
本発明は、このような従来の課題を解決するためになされたものであって、ＭＩＭＯ方式の被測定装置の測定を安価な構成により実現でき、アンテナ本数が変更された被測定装置の測定にも柔軟に対応可能な測定装置及び測定方法を提供することを目的とする。
【課題を解決するための手段】
【０００７】
上記課題を解決するために、本発明の請求項１に係る測定装置は、ＳＩＳＯ方式の複数の測定機器（５１Ａ、５１Ｂ）を用いてＭＩＭＯ方式による通信を行なう被測定装置（ＤＵＴ１）の測定を行う測定装置（５０）であって、前記各測定機器は、前記単一ストリームの信号を処理する信号処理部（７０Ａ、７１Ａ）（７０Ｂ、７１Ｂ）と、前記単一ストリームの信号の送信部（７３Ａ、７３Ｂ）及び受信部（７４Ａ、７４Ｂ）を有する送受信部（７２Ａ、７２Ｂ）と、をそれぞれ有し、前記各測定機器のうちの１の測定機器は、自測定機器と他の測定機器のそれぞれの前記送信部の送信動作タイミングを同期させつつ当該各送信部からそれぞれ前記単一ストリームの信号を送信させることにより前記各測定機器と前記被測定装置とを無線ＬＡＮにより接続する接続制御手段（６１Ａ）と、前記無線ＬＡＮの接続中に前記各送信部から送信した測定用フレームに対する前記被測定装置からの応答フレームを、自測定機器と前記他の測定機器のそれぞれの前記受信部の受信動作タイミングを同期させつつ当該各受信部によりそれぞれ受信させる受信制御手段（６２Ａ）と、前記応答フレームのヘッダ部のデータを解析して被測定フレームを特定し、前記被測定フレームに基づいて前記被測定装置の送信特性を測定する測定制御手段（６３Ａ、６３Ｂ）と、をさらに有する構成を有している。
【０００８】
この構成により、本発明の請求項１に係る測定装置は、被測定装置から送出されるフレーム中、ヘッダ部についてはＳＩＳＯ方式であるため、ＳＩＳＯ方式の各測定機器であってもデコードして被測定フレームであることを特定できる。これにより、ＳＩＳＯ方式の複数の測定機器を用いて、ＭＩＭＯ方式の測定装置を用いる場合に比べて安価にＭＩＭＯ方式の被測定装置の送信特性を測定でき、被測定装置のアンテナ本数が変更されてもＳＩＳＯ方式の測定機器の数を増減させることで当該被測定装置の測定に柔軟に対応できる。
【０００９】
本発明の請求項２に係る測定装置は、前記測定制御手段は、前記応答フレームが特定の条件を満たすか否かを判断する判断部（６５Ａ）と、前記判断部によって前記特定の条件を満たすと判断された場合に前記応答フレームが送信先に受信されたことを示す通知信号を前記被測定装置に通知し、前記特定の条件を満たさないと判断された場合に前記通知信号を通知しない通知信号処理部（６６Ａ）と、前記判断部によって前記特定の条件を満たすと判断された当該応答フレームに含まれる被測定データを測定する測定部（７５Ａ）と、を有する構成を有している。
【００１０】
この構成により、本発明の請求項２に係る測定装置は、特定の条件として、例えば変調方式と符号化率とが組み合わされた値を予め定めておくことで、任意の変調方式や符号化率で被測定装置の送信特性を、ＳＩＳＯ方式の複数の測定機器を用いて安価に測定することができる。
【００１１】
本発明の請求項３に係る測定装置は、前記受信部は、前記被測定装置がピングリクエストフレームに応じて送信するピングリプライフレームを前記応答フレームとして受信するものであって、前記測定部は、前記ピングリプライフレームに含まれる前記被測定データを測定する構成を有している。
【００１２】
この構成により、本発明の請求項３に係る測定装置は、被測定装置がピングリクエストフレームに応じて送信するピングリプライフレームに含まれる被測定データをＳＩＳＯ方式の複数の測定機器を用いて安価に測定することができる。
【００１３】
また、本発明の請求項４に係る測定装置は、前記受信部は、前記応答フレームとして、ＩＥＥＥ８０２．１１ｎ  ＨＴ−ｍｉｘｅｄ  ＰＰＤＵフォーマット、及びＩＥＥＥ８０２．１１ａｃ  ＶＨＴ  ＰＰＤＵフォーマットのいずれかのフォーマットを有するフレームを受信するものであって、前記判断部は、前記いずれかのフォーマット中のヘッダ部のデータに基づいて前記特定の条件を満たすか否かを判断する構成を有している。
【００１４】
この構成により、本発明の請求項４に係る測定装置は、各フォーマットを有する応答フレームのヘッダ部の解析結果のみでピングリクエストフレームに対するピングリプライフレームであることを判断して通知信号を通知することができ、ヘッダ部に続くペイロード部も解析してから通知信号を通知する場合に比べて測定に要する時間を短縮することができ、ＭＩＭＯ方式の被測定装置との無線接続状態の維持も容易になる。
【００１５】
また、本発明の請求項５に係る測定方法は、請求項１に記載の測定装置を用いてＭＩＭＯ方式による通信を行なう前記被測定装置の測定を行う測定方法であって、前記複数の測定機器のうちの１の測定機器を主測定機器、前記主測定機器以外の測定機器を副測定機器としてそれぞれ設定する設定段階（Ｓ１１）と、前記主測定機器と前記副測定機器のそれぞれの前記送信部の送信動作タイミングを同期させつつ当該各送信部からそれぞれ前記単一ストリームの信号を送信させることにより前記主測定機器及び前記副測定機器と前記被測定装置とを無線ＬＡＮにより接続する接続制御段階（Ｓ１４）と、前記無線ＬＡＮの接続中に前記各送信部から送信した測定用フレームに対する前記被測定装置からの応答フレームを、前記主測定機器と前記副測定機器のそれぞれの前記受信部の受信動作タイミングを同期させつつ当該各受信部によりそれぞれ受信させる受信制御段階（Ｓ１６）と、前記応答フレームのヘッダ部のデータを解析して被測定フレームを特定し、前記被測定フレームに基づいて前記被測定装置の送信特性を測定する測定制御段階（Ｓ１７〜Ｓ２０）と、を有する構成を有している。
【００１６】
この構成により、本発明の請求項５に係る信号測定方法は、ＳＩＳＯ方式の複数の測定機器を用いて、ＭＩＭＯ方式の測定装置を用いる場合に比べて安価にＭＩＭＯ方式の被測定装置の送信特性を測定でき、被測定装置のアンテナ本数が変更されてもＳＩＳＯ方式の測定機器の数を増減させることで当該被測定装置の測定に柔軟に対応できる。
【発明の効果】
【００１７】
本発明は、ＭＩＭＯ方式の被測定装置の測定を安価な構成により実現でき、アンテナ本数が変更された被測定装置の測定にも柔軟に対応可能な測定装置及び測定方法を提供することができる。
【図面の簡単な説明】
【００１８】
【図１】本発明の一実施形態に係る測定装置の構成を示すブロック図である。
【図２】本発明の一実施形態に係る測定装置を構成する主測定機器及び副測定機器のハードウェア構成図である。
【図３】本発明の一実施形態に係る測定装置を構成する主測定機器及び副測定機器それぞれの制御部の機能構成を示すブロック図である。
【図４】本発明の一実施形態に係る測定装置におけるピングリプライフレームの構成例を示す図である。
【図５】本発明の一実施形態に係る測定装置における被測定装置の送信特性測定処理を示すフローチャートである。
【図６】本発明の一実施形態に係る測定装置の主測定機器及び副測定機器の送受信動作タイミング同期制御の例を示すフローチャートである。
【図７】本発明の一実施形態に係る測定装置における被測定装置の送信特性の測定処理イメージを示す概念図である。
【図８】本発明の一実施形態に係る測定装置の測定対象フレームの構成を示す図である。
【図９】本発明の一実施形態に係る測定装置の別の例の測定対象フレームの構成を示す図である。
【発明を実施するための形態】
【００１９】
以下、本発明に係る測定装置及び測定方法の一実施形態について図面を用いて説明する。
【００２０】
図１に示すように、本実施形態に係る測定装置５０は、被測定装置としてのＤＵＴ１と無線ＬＡＮによる接続を行って該ＤＵＴ１の測定を行うものである。本実施形態では、測定装置５０は、例えば、無線ＬＡＮ親機（AP：Access Point）として動作し、ＤＵＴ１は無線ＬＡＮ子機（STA：STAtion）として動作する。また、測定装置５０は、ＩＥＥＥ８０２．１１ｎや、ＩＥＥＥ８０２．１１ａｃなどに準拠する通信規格に基づいて、ＤＵＴ１と通信するものとする。
【００２１】
本実施形態において、測定装置５０は、２つの測定機器５１Ａ及び５１Ｂと、ルータ５４と、統合制御装置５５とを有している。測定機器５１Ａと測定機器５１Ｂとは、ルータ５４を介して例えばイーサネット（登録商標）等のネットワーク５６により統合制御装置５５と接続されている。
【００２２】
統合制御装置５５は、例えば、パーソナルコンピュータ（ＰＣ）によって構成される。統合制御装置５５は、ルータ５４を介してネットワーク５６経由で測定機器５１Ａ、５１Ｂと通信し、両者を統括的に制御するものである。具体的に、統合制御装置５５は、測定機器５１Ａ及び５１Ｂのいずれか一方をマスター（主測定機器）、他方をスレーブ（副測定機器）として設定する他、マスター側に対してＤＵＴ１の測定開始の指令を与える等の制御を行う。なお、図１には、統合制御装置５５によって、測定機器５１Ａが主測定機器（以下、主測定機器５１Ａということがある。）、測定機器５１Ｂが副測定機器（以下、副測定機器５１Ｂということがある。）として設定された例を示している。
【００２３】
本実施形態において、測定装置５０の測定対象となるＤＵＴ１は、ＭＩＭＯ方式の通信を行うものであり、アンテナ本数は例えば２本である。これに対して、測定装置５０を構成する主測定機器５１Ａ、副測定機器５１Ｂは、それぞれ、ＳＩＳＯ方式の通信を行う構成を有している。
【００２４】
すなわち、測定装置５０は、２つのＳＩＳＯ方式の測定機器５１Ａ、５１Ｂが、所定の変調方式（例えば、ＢＰＳＫ、ＱＰＳＫ等）で変調した互いに一系列の情報、つまり、単一ストリームの信号をそれぞれのアンテナから同時に並行して送信し、これをＤＵＴ１側で複数（この例では２本）のアンテナであたかもＭＩＭＯ方式の情報であるかのように受信してその応答フレームをＭＩＭＯ方式で測定装置５０側に返送することでＤＵＴ１の測定を成立させるようになっている。
【００２５】
また、測定機器５１Ａ、５１Ｂが互いに単一ストリームの信号を同時に並行して送信可能にするため、これらのうちの主測定機器５１Ａが、当該主測定機器５１Ａと副測定機器５１Ｂとの送受信動作タイミングを互いに同期させる制御を行うようになっている。このため、測定装置５０において、統合制御装置５５は、主測定機器５１Ａに対してＤＵＴ１の測定開始の指令を与えた後は、副測定機器５１Ｂを制御する必要はない。この測定装置５０の構成によれば、ＤＵＴ１とＭＩＭＯ方式による通信は行えないが、ＳＩＳＯ方式の２系統の情報を並行して送受信しながら、ＭＩＭＯ方式のＤＵＴ１の測定を実現することができる。なお、測定機器５１Ａ、５１Ｂとしては、例えば、アンリツ株式会社製の無線ＬＡＮ用測定器であるＭＴ８８６２Ａ等の製品を用いることが想定される。
【００２６】
測定装置５０において、主測定機器５１Ａは、制御部６０Ａ、送信データ生成部７０Ａ、フレーム生成部７１Ａ、送受信部７２Ａ、測定部７５Ａ、表示部７６Ａを備えている。主測定機器５１Ａは、例えば図２に示すように、ＣＰＵ３１、ＲＯＭ３２、ＲＡＭ３３、各種インターフェースが接続される入力インターフェース（Ｉ／Ｆ）部３４及び出力インターフェース（Ｉ／Ｆ）部３５を備えたマイクロコンピュータを含む。主測定機器５１Ａは、ＲＯＭ３２に予め格納された制御プログラムを実行させることにより、マイクロコンピュータを主測定機器５１Ａの上述した各機能部として機能させるようになっている。
【００２７】
主測定機器５１Ａにおいて、制御部６０Ａは、主測定機器５１Ａ全体の制御を行うとともに、副測定機器５１Ｂを自測定機器に同期させるための制御を行う。制御部６０Ａは、以下、主制御部６０Ａと称するものとする。
【００２８】
送信データ生成部７０Ａは、ユーザが設定した送信データを生成し、フレーム生成部７１Ａに出力するようになっている。
【００２９】
フレーム生成部７１Ａは、送信データ生成部７０Ａからのデータを含めたフレームを生成（構成）し、送受信部７２Ａに出力するようになっている。フレーム生成部７１Ａは、上述した送信データ生成部７０Ａとともに本発明の信号処理部を構成する。
【００３０】
送受信部７２Ａは、送信部７３Ａ及び受信部７４Ａを備え、例えば、ＩＥＥＥ８０２．１１ａｃに準拠する通信規格に基づいて、ＤＵＴ１との間で無線接続を確立するようになっている。また、送受信部７２Ａは、無線接続の確立後に、ＤＵＴ１に対して、測定に関する各種データを送受信するようになっている。
【００３１】
送信部７３Ａは、図示を省略したが、符号化処理回路、変調回路、ＤＡＣ（デジタルアナログコンバータ）、アップコンバータ、送信アンテナ等を備え、フレーム生成部７１Ａが生成したフレームに対してデジタル変調やアップコンバート等の処理を行い、アンテナを介してＤＵＴ１に送信するようになっている。
【００３２】
受信部７４Ａは、図示を省略したが、受信アンテナ、ダウンコンバータ、ＡＤＣ（アナログデジタルコンバータ）、復調回路、復号化処理回路等を備え、ＤＵＴ１から受信したフレームのうち、後述する測定制御部６３Ａによって測定対象と判断されたフレームから測定対象の被測定データを抽出して測定部７５Ａに出力するようになっている。
【００３３】
同様に、副測定機器５１Ｂは、制御部６０Ｂ、送信データ生成部７０Ｂ、フレーム生成部７１Ｂ、送受信部７２Ｂ、測定部７５Ｂ、表示部７６Ｂを備えている。制御部６０Ｂは、主制御部６０Ａの制御下で副測定機器５１Ｂ全体の制御を行う。以下、制御部６０Ｂを、副制御部６０Ｂと称するものとする。
【００３４】
副測定機器５１Ｂにおいて、送信データ生成部７０Ｂ、フレーム生成部７１Ｂ、送受信部７２Ｂ、測定部７５Ｂ、表示部７６Ｂは、基本的には、主測定機器５１Ａにおけるそれぞれ同一な機能部、すなわち、送信データ生成部７０Ａ、フレーム生成部７１Ａ、送受信部７２Ａ、測定部７５Ａ、表示部７６Ａとそれぞれ同様の構成を有している。ここで、送信データ生成部７０Ａとフレーム生成部７１Ａとは本発明の信号処理部を構成する。
【００３５】
副測定機器５１Ｂも、主測定機器５１Ａと同様、例えば図２に示すように、ＣＰＵ３１、ＲＯＭ３２、ＲＡＭ３３、各種インターフェースが接続される入力インターフェース（Ｉ／Ｆ）部３４及び出力インターフェース（Ｉ／Ｆ）部３５を備えたマイクロコンピュータを含む。副測定機器５１Ｂにおいても、ＲＯＭ３２に予め格納された制御プログラムを実行させることにより、マイクロコンピュータを副測定機器５１Ｂの上述した各機能部として機能させるようになっている。
【００３６】
図１に示す測定装置５０において、主測定機器５１Ａと副測定機器５１Ｂとの違いは、前者が、マスターとなって主測定機器５１Ａの送信部７３Ａと副測定機器５１Ｂの送信部７３Ｂとの送信動作タイミングを同期させる制御を行い、かつ、主測定機器５１Ａの受信部７４Ａと副測定機器５１Ｂの受信部７４Ｂとの受信動作タイミングを同期させる制御を行う一方で、後者がスレーブとして前者による同期制御に従う点にある。
【００３７】
上述したマスターとスレーブの関係を実現すべく、主制御部６０Ａは、主測定機器５１Ａ全体の制御を行う他、副制御部６０Ｂに対して送信同期トリガ信号、受信同期トリガ信号を与える制御を行う。送信同期トリガ信号は、副制御部６０Ｂが送信部７３Ｂを送信部７３Ａと同期させて送信動作させるための制御信号であり、受信同期トリガ信号は、副制御部６０Ｂが受信部７４Ｂを受信部７４Ａと同期させて受信動作させるための制御信号である。
【００３８】
次に、主制御部６０Ａと副制御部６０Ｂの構成について図３を参照して説明する。図３に示すように、主制御部６０Ａは、接続制御部６１Ａ、受信制御部６２Ａ、測定制御部６３Ａを有している。
【００３９】
接続制御部６１Ａは、自測定機器である主測定機器５１Ａと副測定機器５１Ｂのそれぞれの送信部７３Ａ、７３Ｂの送信動作タイミングを同期させつつ当該各送信部７３Ａ、７３Ｂからそれぞれの系統に対応する単一ストリームの信号を送信させることにより各測定機器５１Ａ、５１ＢとＤＵＴ１とを無線ＬＡＮにより接続する接続制御を行う。
【００４０】
受信制御部６２Ａは、無線ＬＡＮの接続中に各送信部７３Ａ、７３Ｂから送信した後述の測定用フレームに対してＤＵＴ１からＭＩＭＯ方式により送出される応答フレームを、主測定機器５１Ａと副測定機器５１Ｂのそれぞれの受信部７４Ａ、７４Ｂの受信動作タイミングを同期させつつ、当該各受信部７４Ａ、７４Ｂにそれぞれ受信させる受信制御を行う。
【００４１】
測定制御部６３Ａは、無線ＬＡＮの接続中に各送信部７３Ａ、７３Ｂから上記測定用フレームをそれぞれ送信させるとともに、主測定機器５１Ａと副測定機器５１Ｂの各受信部７４Ａ、７４Ｂによりそれぞれ受信されたＤＵＴ１からのフレームに基づいてＤＵＴ１の特性を測定する測定制御を行う。本実施形態において、測定制御部６３Ａは、例えば、上記各受信部７４Ａ、７４Ｂによりそれぞれ受信されたＤＵＴ１からの応答フレームのヘッダ部のデータを解析して被測定フレームを特定し、当該被測定フレームに基づいてＤＵＴ１の送信特性を測定する制御を行う。
【００４２】
ＤＵＴ１の送信特性の測定を可能とすべく、主測定機器５１Ａにおける測定制御部６３Ａは、図３に示すように、データ送信制御部６４Ａ、判断部６５Ａ、通知信号処理部６６Ａ、測定指示部６７Ａを有して構成される。
【００４３】
データ送信制御部６４Ａは、ＤＵＴ１の送信特性の測定を行うのに用いるデータ（送信特性測定用データ）を含むフレーム（測定用フレーム）を送信データ生成部７０Ａ、フレーム生成部７１Ａにて生成させ、送信部７３Ａによって、ＤＵＴ１に送信させる制御を行う。その際、測定用フレームは、接続制御部６１Ａの上述した同期制御により、副測定機器５１Ｂの送信データ生成部７０Ｂ、フレーム生成部７１Ｂでも生成され、送信部７３Ｂによって、ＤＵＴ１に送信される。つまり、データ送信制御部６４Ａは、副測定機器５１Ｂの測定制御部６３Ｂのデータ送信制御部６４Ｂと協働（同期）して、各々１ストリーム分の測定用フレームを並行してＤＵＴ１に送信させるように制御する。
【００４４】
判断部６５Ａは、測定用フレームに対してＤＵＴ１から応答送出され、主測定機器５１Ａの受信部７４Ａにより受信された応答フレームが特定の条件を満たすか否かを判断する処理を行う。その際、判断部６５Ａは、副測定機器５１Ｂの判断部６５Ｂが受信部７４Ｂにより受信された応答フレームが特定の条件を満たすか否かを判断した結果を取り込んで、受信部７４Ａにより受信された応答フレームの判断指標に加えてもよい。
【００４５】
なお、本実施形態では、各受信部７４Ａ、７４ＢがＤＵＴ１から測定のために受信するフレーム（応答フレーム）は、送信部７３Ａ、７３ＢがＤＵＴ１に送信したＰｉｎｇ（ピング）リクエストフレームに応答してＤＵＴ１が送信するＰｉｎｇ  Ｒｅｐｌｙ（ピング  リプライ）フレームとする。このＰｉｎｇリプライフレームは、例えば図４に示した構成を有している。
【００４６】
すなわち、図４に示すように、ＤＵＴ１から受信するＰｉｎｇリプライフレームは、物理ヘッダと、データフィールドと、を有する。物理ヘッダは、ＭＣＳインデックスの情報を含む。
【００４７】
データフィールドは、８０２．１１ヘッダと、８０２．１１データとで構成されている。８０２．１１データは、ＩＰ（Internet Protocol）ヘッダと、ＩＣＭＰ（Internet Control Message Protocol）ヘッダと、Ｐｉｎｇデータと、ＦＣＳ（Frame Check Sequence）と、を含む。
【００４８】
Ｐｉｎｇデータは、ピングコマンドのデータと、送信特性測定用データと、を含む。送信特性測定用データは、例えば、"００００・・・"、"０１０１・・・"、"１０１０・・・"等のデータパターンを含むものであって、所定の送信特性を測定するためにユーザによって設定されたデータである。測定装置５０は、これらのデータパターンを用いることにより、ＤＵＴ１の送信特性評価において、エラーの発生しやすいデータパターンを把握することができる。
【００４９】
上述したように、主測定機器５１Ａ、副測定機器５１Ｂの各受信部７４Ａ、７４ＢがＤＵＴ１から受信するフレームがＰｉｎｇリプライフレームであり、該ＰｉｎｇリプライフレームにＭＣＳインデックスの情報が含まれている構成とした場合、判断部６５Ａは、各受信部７４Ａ、７４Ｂによりそれぞれ受信されたフレームが特定の条件を満たすか否かを判断する処理に関しては、ＭＣＳインデックス情報の値（ＭＣＳインデックス値）が予め設定されている値であるか否かを判断する構成とすることが想定される。ＭＣＳインデックス値としては、例えば、変調方式と符号化率とが組み合わされた値を設定することができる。
【００５０】
通知信号処理部６６Ａは、判断部６５Ａによって上述した特定の条件を満たすと判断された場合、具体例としては、Ｐｉｎｇリプライフレームに含まれるインデックス値が予め設定された値であった場合にフレームが送信先に受信されたことを示す通知信号をＤＵＴ１に通知し、特定の条件を満たさないと判断された場合に通知信号を通知しないよう通知信号の処理を実行する。
【００５１】
測定指示部６７Ａは、判断部６５ＡによってＤＵＴ１からの応答フレームが特定の条件を満たすと判断された場合に、当該応答フレームに含まれる被測定データを測定することを受信部７４Ａ、測定部７５Ａに指示する。測定部７５Ａは、上記指示に基づいて受信部７４Ａが出力する被測定データを入力し、ユーザが設定した測定条件に基づいてＤＵＴ１の送信特性の測定を実施する。
【００５２】
主制御部６０Ａは、表示制御部６８Ａをさらに有している。表示制御部６８Ａは、測定部７５Ａによる上述したＤＵＴ１の送信特性の測定結果を表示部７６Ａに表示させる制御を行う。表示制御部６８Ａは、例えば、図８に示すように、横軸を時間（ｔ）、縦軸を電力（Ｐｏｗｅｒ）として両者の関係が示された表図の形態で上記測定結果を表示させる。
【００５３】
上記のように構成される主制御部６０Ａに対し、副制御部６０Ｂは、主制御部６０Ａにおける接続制御部６１Ａ、受信制御部６２Ａ、測定制御部６３Ａとそれぞれ同等の機能を有する接続制御部６１Ｂ、受信制御部６２Ｂ、測定制御部６３Ｂを有している。ここで、接続制御部６１Ａ、６１Ｂは本発明の接続制御手段に相当する。また、受信制御部６２Ａ、６２Ｂは本発明の受信制御手段に相当し、測定制御部６３Ａ、６３Ｂは本発明の測定制御手段に相当する。
【００５４】
また、副制御部６０Ｂにおける測定制御部６３Ｂは、主制御部６０Ａにおける測定制御部６３Ａのデータ送信制御部６４Ａ、判断部６５Ａ、通知信号処理部６６Ａ、測定指示部６７Ａとそれぞれ同等のデータ送信制御部６４Ｂ、判断部６５Ｂ、通知信号処理部６６Ｂ、測定指示部６７Ｂを有している。さらに、副制御部６０Ｂには、主制御部６０Ａの表示制御部６８Ａと同等の表示制御部６８Ｂが設けられている。主測定機器５１Ａ、副測定機器５１Ｂは、主制御部６０Ａ及び副制御部６０Ｂについても、ＲＯＭ３２に予め格納された制御プログラムを実行させることにより、マイクロコンピュータ（図２参照）を主制御部６０Ａ及び副制御部６０Ｂの上記各機能部として機能させるようになっている。
【００５５】
次に、本実施形態に係る測定装置５０の動作について、図５〜図９を参照して説明する。
【００５６】
図５は、本実施形態に係る測定装置５０におけるＤＵＴ１の送信特性測定処理を示すフローチャートである。この送信特性測定処理では、ＤＵＴ１が最初に受信ＭＣＳインデックス＝７の情報を含むフレームを送信し、それに対する通知信号を受信しない場合には受信ＭＣＳインデックスの値を１つずつ低下させていくものとする。また、ユーザの設定によって比較用ＭＣＳインデックス＝５（予め定められた条件）が例えば主制御部６０Ａを構成するＲＡＭ３３等の記憶部内に予め記憶されているものとする。
【００５７】
図５に示すＤＵＴ１の送信特性測定処理においては、まず、マスター（主測定機器）及びスレーブ（副測定機器）を設定する処理を行う（ステップＳ１１）。この処理において、統合制御装置５５は、例えば測定機器５１Ａにネットワーク５６を介してマスターとする旨の指令を送出する。一方、測定機器５１Ａは、上記指令に基づいて自測定機器をマスター（主測定機器）として設定する処理を行う。以後、主測定機器５１Ａは、自測定機器をマスター、副測定機器５１Ｂをスレーブとして認識こととなる。
【００５８】
次に、統合制御装置５５は、主測定機器５１Ａに対して測定開始指令を送出する（ステップＳ１２）。
【００５９】
主測定機器５１Ａは、上記測定開始指令を受信することにより、当該主測定機器５１Ａと、スレーブである副測定機器５１Ｂの送受信タイミングを同期させる制御を行う（ステップＳ１３）。この制御においては、例えば、主測定機器５１Ａの主制御部６０Ａが、送受信部７２Ａを駆動制御してＤＵＴ１の送信特性の測定を開始するタイミングに合わせて副測定機器５１Ｂの副制御部６０Ｂに対して同期トリガ信号を送信する。一方、副制御部６０Ｂでは、上記同期トリガ信号を受信すると、送受信部７２Ｂの送受信タイミングを主測定機器５１Ａの送受信部７２Ａの送受信タイミングに同期させるように制御する。
【００６０】
なお、ステップＳ１３では、ＤＵＴ１の送信特性の測定を開始するタイミングに合わせて副測定機器５１Ｂに対して１回だけ同期トリガ信号を送信することにより、主測定機器５１Ａと副測定機器５１Ｂとの送受信動作を同期させる例を挙げたが、これに限らず、例えば、図６に示すように、ＤＵＴ１の測定中、必要に応じて送信同期トリガ信号、若しくは、受信同期トリガ信号を送信して逐次両者の同期を図るようにしてもよい。
【００６１】
図６に示す例では、主測定機器５１Ａは、例えば、主制御部６０Ａ（特に、接続制御部６１Ａ）によって、ＤＵＴ１の送信特性の測定処理中の何等かの送信処理である送信イベントがあるか否かを判定する（ステップＳ３１）。ここで、送信イベントがあると判定された場合（ステップＳ３１でＹＥＳ）、主制御部６０Ａは、副測定機器５１Ｂに対して送信同期トリガ信号を送出する（ステップＳ３２）。これにより、副測定機器５１Ｂは、上記送信同期トリガ信号に基づき、例えば、接続制御部６１Ａが、送受信部７２Ｂにおける送信部７３Ｂの送信動作を主測定機器５１Ａの送受信部７２Ａにおける送信部７３Ａの送信動作と同期させるように制御することとなる。
【００６２】
また、送信イベントがないと判定された場合（ステップＳ３１でＮＯ）、主制御部６０Ａ（特に、受信制御部６２Ａ）は、次いで、測定処理中の何等かの受信処理である受信イベントがあるか否かを判定する（ステップＳ３３）。ここで、受信イベントがあると判定された場合（ステップＳ３３でＹＥＳ）、主制御部６０Ａは、副測定機器５１Ｂに対して受信同期トリガ信号を送出する。これにより、副測定機器５１Ｂは、上記受信同期トリガ信号に基づき、例えば、受信制御部６２Ｂが、送受信部７２Ｂにおける受信部７４Ｂの受信動作を主測定機器５１Ａの送受信部７２Ａにおける受信部７４Ａの送信動作と同期させるように制御することとなる。
【００６３】
受信イベントがないと判定された場合（ステップＳ３３でＮＯ）、並びに上記ステップＳ３２で送信同時トリガ信号を送信した場合、主制御部６０ＡはステップＳ３１以降の処理を繰り返し実行する。このように、ＤＵＴ１の測定中、主測定機器５１Ａから副測定機器５１Ｂに、その都度、送信同期トリガ信号、受信同期トリガ信号を送出することで、主測定機器５１Ａと副測定機器５１Ｂとの送受信動作の同期を図ることもできる。
【００６４】
再び、図５に戻って送信特性測定処理について説明する。上記ステップＳ１３において、主測定機器５１Ａと副測定機器５１Ｂの送受信タイミングを同期させる制御を行いつつ、主制御部６０Ａでは、主測定機器５１Ａ及び副測定機器５１ＢをＤＵＴ１に対してＭＩＭＯ方式の無線接続状態とする無線接続処理を行う（ステップＳ１４）。この無線接続処理において、接続制御部６１Ａは、主測定機器５１Ａと副測定機器５１Ｂのそれぞれの送信部７３Ａ、７３Ｂの送信動作タイミングを同期させつつ当該送信部７３Ａ、７３Ｂからそれぞれの系統に対応する単一ストリームの信号を送信させることにより各測定機器５１Ａ、５１ＢとＤＵＴ１とを無線ＬＡＮにより接続するよう制御する。
【００６５】
ステップＳ１４での無線接続処理の後、データ送信制御部６４Ａは、送信部７３Ａを制御し、測定用フレームとしてのＰｉｎｇリクエストフレームをＤＵＴ１に送信する（ステップＳ１５）。その際、データ送信制御部６４Ｂにおいても、送信部７３Ｂを制御し、ＰｉｎｇリクエストフレームをＤＵＴ１に送信するようにしてもよい。
【００６６】
引き続き、判断部６５Ａは、受信部７４Ａにより上述したＰｉｎｇリクエストフレームに応答したＰｉｎｇリプライフレームを応答フレームとして受信したか否かを判断する（ステップＳ１６）。
【００６７】
ステップＳ１６において、Ｐｉｎｇリプライフレームを受信したと判断部６５Ａによって判断されなかった場合にはステップＳ１６を繰り返す。
【００６８】
一方、ステップＳ１６において、Ｐｉｎｇリプライフレームを受信したと判断された場合には、判断部６５Ａは、受信ＭＣＳインデックスの値が５（比較用ＭＣＳインデックスの値）であるか否かを判断する（ステップＳ１７）。すなわち、判断部６５Ａは、受信したＰｉｎｇリプライフレームが測定対象であるか否かを判断する。
【００６９】
ステップＳ１７において、受信ＭＣＳインデックスの値が５であると判断されなかった場合には、ステップＳ１６の処理に戻る。すわわち、このときに通知信号処理部６６Ａは、送受信部７２Ａによりフレームを受信したことを示す通知信号をＤＵＴ１に送信しないように処理する。
【００７０】
一方、ステップＳ１７において、受信ＭＣＳインデックスの値が５であると判断された場合、通知信号処理部６６Ａは、送信部７３Ａを制御し、ＡＣＫフレーム（通知信号）をＤＵＴ１に送信する（ステップＳ１８）。
【００７１】
また、テップＳ１７において受信ＭＣＳインデックスの値が５であると判断された場合、測定指示部６７Ａは、受信部７４Ａ及び測定部７５Ａに対して測定を実行する旨を指示する。これにより、受信部７４Ａは、ステップＳ１７において受信ＭＣＳインデックスの値が５であると判断された当該Ｐｉｎｇリプライフレームから被測定データを取り出し（ステップＳ１９）、測定部７５Ａに出力する。
【００７２】
測定部７５Ａは、上記指示に基づき受信部７４Ａから被測定データを入力し、ユーザが指定した送信測定を行う（ステップＳ２０）。
【００７３】
さらに表示制御部６８Ａは、測定部７５Ａが測定した測定結果を、例えば、図８に示すような態様で表示部７６Ａの画面に表示する（ステップＳ２１）。
【００７４】
次に、本実施形態に係る測定装置５０におけるＰｉｎｇリプライフレームの受信とＡＣＫフレーム（通知信号）の返送（図５のＳ１６〜Ｓ１８参照）についてさらに詳しく説明する。
【００７５】
本実施形態に係る測定装置５０を構成する主測定機器５１Ａ及び副測定機器５１ＢはいずれもＳＩＳＯ方式のものであるために、ＤＵＴ１の送信特性の測定に際して、ＤＵＴ１にＭＩＭＯ方式の通信が維持されているものとして動作させる必要がある。これを実現すべく、例えば、主測定機器５１Ａは、Ｐｉｎｇリプライフレーム（被測定フレーム）のヘッダ部がＳＩＳＯ方式のデータであることに着目し、Ｐｉｎｇリプライフレームを受信するとそのヘッダ部分のみを解析して被測定フレームであると判定する。この判定に基づいて、通知信号処理部６６ＡがＤＵＴ１に対して即座にＡＣＫフレームを返送することで、ＤＵＴ１に対して、ＭＩＭＯ方式の通信があたかも成り立っているかのように振る舞わせることを可能にしている。
【００７６】
本実施形態において、ＤＵＴ１が送出する被測定フレームはＭＩＭＯ信号で、しかも、ヘッダ部とそれに続くＰａｙｌｏａｄ部で構成されるため、本来は、複数ストリームを受信しないとパケット全体をデコードすることはできない。この点、本実施形態では、ＤＵＴ１の測定さえ行えればよい（ＭＩＭＯ方式の通信は行わない）ため、Ｐｉｎｇリプライフレームのヘッダ部の解析結果から被測定フレームであることを判断してＡＣＫフレームを返送することでＤＵＴ１の送信特性の測定に確実かつ迅速に対応可能となる。
【００７７】
上述したＰｉｎｇリプライフレームを用いたＤＵＴ１の送信特性の測定結果は、表示制御部６８Ａによって、例えば、図７に示す態様で表示部７６Ａに表示される。図７には、横軸が時間値、縦軸がＤＵＴ１の送信電力の値とされる送信特性に重ね合わせてＰｉｎｇリプライフレームのデータ構造が示されている。
【００７８】
上記データ構造によれば、測定装置５０は、主測定機器５１Ａの判断部６５Ａが、Ｐｉｎｇリプライフレームのヘッダ部のデータからＤＵＴ１が送ってきたＰｉｎｇリプライフレーム（被測定フレーム）であると判断し、その時点で、通知信号処理部６６ＡがＤＵＴ１に対してＡＣＫフレームを送信する（図４のＳ１８参照）ことが理解できる。
【００７９】
図７に例示したようなＡＣＫフレームの返送を可能にするフレームフォーマットの例としては、例えば、図８、図９に示すものがある。
【００８０】
図８は、ＩＥＥＥ８０２．１１ｎ  ＨＴ−ｍｉｘｅｄ  ＰＰＤＵフォーマットの構成を示している。このフォーマットでは、Ｌ−ＳＴＦからＨＴ−ＳＩＧまではＳＩＳＯの信号で送信される。したがって、判断部６５Ａでは、当該ＳＩＳＯ信号区間（ヘッダ部）のデータについてはデコードが可能であり、そのデコード結果に基づいて上述した特定の条件を満たすか否か、つまり、ＭＣＳインデックス値が予め設定されている値であるか否かを判断することができる。
【００８１】
図９は、ＩＥＥＥ８０２．１１ａｃ  ＶＨＴ−ＰＰＤＵ  フォーマットの構成を示している。このフォーマットでは、Ｌ−ＳＴＦからＶＨＴ−ＳＩＧ−ＡまではＳＩＳＯで送信される。この場合も、判断部６５Ａは、当該ＳＩＳＯ信号区間（ヘッダ部）のデータをデコード可能であり、そのデコード結果に基づいてＭＣＳインデックス値が予め設定されている値であるか否かを判断することができる。
【００８２】
図７〜図９の説明からも理解できるように、本実施形態に係る測定装置５０は、独立した２つのＳＩＳＯ方式の測定機器５１Ａ、５１Ｂを同期させることで、ＭＩＭＯ方式でフレームを送ってＤＵＴ１からＭＩＭＯ方式でフレームを返送させることができる無線接続状態を確立可能とする。そのうえで、ＤＵＴ１に対してＡＣＫフレームを返すタイミングをＳＩＳＯ方式のヘッダを解析したときとすることで、測定機器５１Ａ、５１Ｂ側から上述した無線接続状態を成り立たせるようにし、ＤＵＴ１との間にＭＩＭＯで接続された状態を作り出して当該ＤＵＴ１の送信特性の測定を実現している。
【００８３】
本実施形態の上述した例においては、測定機器５１Ａをマスター（主測定機器）、測定機器５１Ｂをスレーブ（副測定機器）として設定する運用例（図１、図３参照）について述べたが、本発明においては、マスターとスレーブを入れ替えるように設定してもよい。この入れ替えを実現するためには、測定機器５１Ａの制御部６０Ａと測定機器５１Ｂの制御部６０Ｂとが同一の構造を有する（図３参照）必要がある。なお、例えば、図１に示すように、測定機器５１Ｂをスレーブ専用として用いる場合には、測定制御部６３Ｂの構成については、表示制御部６８Ｂや他の不用な機能ブロックを削る等、マスター側の測定機器５１Ａの測定制御部６３Ａよりも簡略化された構成としてもよい。
【００８４】
また、本実施形態の上述した例では、測定装置５０を、ＳＩＳＯ方式の２つの測定機器５１Ａ、５１Ｂで構成する例を挙げたが、本発明はこれに限らず、２つより多い複数の測定機器を用いた構成としてもよい。この構成とした場合には、例えば、アンテナ本数がより多いＤＵＴ１の測定に際しても、ＤＵＴ１のアンテナ本数に合わせた台数の測定機器を用意し、上述したマスター・スレーブ方式での送受信動作タイミングの同期を図ることで、よりフレキシブルな対応が可能となる。
【００８５】
以上説明したように、本実施形態では、測定装置５０は、ＳＩＳＯ方式の複数の測定機器５１Ａ、５１Ｂを有し、各測定機器５１Ａ、５１Ｂが、ＭＩＭＯ方式による通信を行なうＤＵＴ１との間でそれぞれ単一ストリームの信号を並行して送受信することによりＤＵＴ１の測定を行うものである。
【００８６】
測定機器５１Ａは、単一ストリームの信号を処理する信号処理部である送信データ生成部７０Ａとフレーム生成部７１Ａ、単一ストリームの信号の送信部７３Ａ及び受信部７４Ａを有する送受信部７２Ａを有する一方、測定機器５１Ｂは、単一ストリームの信号を処理する信号処理部である送信データ生成部７０Ｂとフレーム生成部７１Ｂ、単一ストリームの信号の送信部７３Ｂ及び受信部７４Ｂを有する送受信部７２Ｂを有する。測定機器５１Ａ、５１Ｂのうちの一方、例えば、測定機器５１Ａが主測定機器として設定され、他方の測定機器５１Ｂが副測定機器として設定される。
【００８７】
測定装置５０において、主測定機器５１Ａは、当該主測定機器５１Ａと副測定機器５１Ｂのそれぞれの送信部７３Ａ、７３Ｂの送信動作タイミングを同期させつつ当該各送信部７３Ａ、７３Ｂからそれぞれ単一ストリームの信号を送信させることにより当該主測定機器５１Ａ及び副測定機器５１ＢとＤＵＴ１とを無線ＬＡＮにより接続する接続制御部６１Ａと、無線ＬＡＮの接続中に各送信部７３Ａ、７３Ｂから送信した測定用フレームに対するＤＵＴ１からの応答フレームを、当該主測定機器５１Ａと副測定機器５１Ｂのそれぞれの受信部７４Ａ、７４Ｂの受信動作タイミングを同期させつつ当該各受信部７４Ａ、７４Ｂによりそれぞれ受信させる受信制御部６２Ａと、応答フレームのヘッダ部のデータを解析して被測定フレームを特定し、被測定フレームに基づいてＤＵＴ１の送信特性を測定する測定制御部６３Ａと、をさらに有する。
【００８８】
この構成により、本実施形態に係る測定装置５０では、ＤＵＴ１から送出されるフレーム中、ヘッダ部についてはＳＩＳＯ方式であるため、ＳＩＳＯ方式の各測定機器であってもデコードして被測定フレームであることを特定できる。よって、ＳＩＳＯ方式の主測定機器５１Ａ及び副測定機器５１Ｂを用いて、ＭＩＭＯ方式の測定装置を用いる場合に比べて安価にＭＩＭＯ方式のＤＵＴ１の送信特性を測定できる。また、本実施形態の構成によれば、ＤＵＴ１のアンテナ本数が変更されてもＳＩＳＯ方式の測定機器の数を増減させることで当該ＤＵＴ１の測定に柔軟に対応可能となる。
【００８９】
また、本実施形態に係る測定装置５０は、測定制御部６３Ａは、応答フレームが特定の条件を満たすか否かを判断する判断部６５Ａと、判断部６５Ａによって特定の条件を満たすと判断された場合に応答フレームが送信先に受信されたことを示す通知信号をＤＵＴ１に通知し、特定の条件を満たさないと判断された場合に通知信号を通知しない通知信号処理部６６Ａと、判断部６５Ａによって特定の条件を満たすと判断された当該応答フレームに含まれる被測定データを測定する測定部７５Ａと、を有する。
【００９０】
この構成により、本実施形態に係る測定装置５０は、特定の条件として、例えば変調方式と符号化率とが組み合わされた値を予め定めておくことで、任意の変調方式や符号化率でＤＵＴ１の送信特性を、ＳＩＳＯ方式の主測定機器５１Ａ及び副測定機器５１Ｂを用いて安価に測定することができる。
【００９１】
本実施形態に係る測定装置５０において、受信部７４Ａ、７４Ｂは、ＤＵＴ１がピングリクエストフレームに応じて送信するピングリプライフレームを応答フレームとして受信するものであって、測定部７５Ａは、ピングリプライフレームに含まれる被測定データを測定するようにしている。
【００９２】
この構成により、本実施形態に係る測定装置５０は、ＤＵＴ１がピングリクエストフレームに応じて送信するピングリプライフレームに含まれる被測定データをＳＩＳＯ方式の主測定機器５１Ａ及び副測定機器５１Ｂを用いて安価に測定することができる。
【００９３】
また、本実施形態に係る測定装置５０において、受信部７４Ａ、７４Ｂは、応答フレームとして、ＩＥＥＥ８０２．１１ｎ  ＨＴ−ｍｉｘｅｄ  ＰＰＤＵフォーマット、及びＩＥＥＥ８０２．１１ａｃ  ＶＨＴ  ＰＰＤＵフォーマットのいずれかのフォーマットを有するフレームを受信するものであって、判断部６５Ａは、いずれかのフォーマット中のヘッダ部のデータに基づいて上述の特定の条件を満たすか否かを判断するようにしている。
【００９４】
この構成により、本実施形態に係る測定装置５０は、上記各フォーマットを有する応答フレームのヘッダ部の解析結果のみでピングリクエストフレームに対するピングリプライフレームであることを判断して通知信号を通知することができる。これにより、本実施形態では、ピングリプライフレームにおけるヘッダ部に続くペイロード部も解析してから通知信号を通知する場合に比べて測定に要する時間を短縮することができ、ＭＩＭＯ方式のＤＵＴ１との無線接続状態の維持も容易になる。
【産業上の利用可能性】
【００９５】
以上のように、本発明に係る測定装置及び測定方法は、ＭＩＭＯ方式の被測定装置の測定を安価な構成により実現でき、アンテナ本数が変更された被測定装置の測定にも柔軟に対応可能であるという効果を奏し、携帯電話やモバイル端末等のＭＩＭＯ方式の被測定装置の送信特性をＳＩＳＯ方式の複数の測定機器を用いて測定する測定装置及び測定方法として有用である。
【符号の説明】
【００９６】
１  被測定装置（ＤＵＴ）
５０  測定装置
５１Ａ  ＳＩＳＯ方式の測定機器（主測定機器）
５１Ｂ  ＳＩＳＯ方式の測定機器（副測定機器）
６１Ａ、６１Ｂ  接続制御部（接続制御手段）
６２Ａ、６２Ｂ  受信制御部（受信制御手段）
６３Ａ、６３Ｂ  測定制御部（測定制御手段）
６５Ａ、６５Ｂ  判断部
６６Ａ、６６Ｂ  通知信号処理部
６７Ａ、６７Ｂ  測定指示部
７０Ａ、７０Ｂ  送信データ生成部（信号処理部）
７１Ａ、７１Ｂ  フレーム生成部（信号処理部）
７２Ａ、７２Ｂ  送受信部
７３Ａ、７３Ｂ  送信部
７４Ａ、７４Ｂ  受信部
７５Ａ、７５Ｂ  測定部
【図１】
2019205042.tif 000003
【図２】
2019205042.tif 000004
【図３】
2019205042.tif 000005
【図４】
2019205042.tif 000006
【図５】
2019205042.tif 000007
【図６】
2019205042.tif 000008
【図７】
2019205042.tif 000009
【図８】
2019205042.tif 000010
【図９】
2019205042.tif 000011